(57)【要約】【課題】  ゴルフボールに付着した汚れの拭き取り能力が短時間で低下するのを回避し、汚れ拭き取り体の汚れの拭き取り可能な領域を拡大して、汚れ拭き取り体の局部的な損傷を抑えることで、汚れ拭き取り体の交換頻度を低くすることにより信頼性を高めるとともに、保水状態の汚れ拭き取り体を装填して携行しても、プレイヤーの衣服を濡らすような不都合が生じることのないゴルフボール拭き具を提供する。【解決手段】  水を含浸させた汚れ拭き取り体６でゴルフボール１１に付着した汚れを拭き取るゴルフボール拭き具１であり、上向きの大きい開口２を有する皿状本体部３と、上向きの大きい開口２を開閉する蓋体４とを備え、水を含浸させた汚れ拭き取り体６が上向きの大きい開口２に臨んで皿状本体部３の底部３ａに載置して装填されている。【選択図】          図５
0003174013.tif 000002
【実用新案登録請求の範囲】
【請求項１】
水を含浸させた汚れ拭き取り体でゴルフボールに付着した汚れを拭き取るゴルフボール拭き具であって、
上向きの大きい開口を有する皿状本体部と、前記上向きの大きい開口を開閉する蓋体とを備え、水を含浸させた汚れ拭き取り体が前記上向きの大きい開口に臨んで皿状本体部の底部に載置して装填されてなることを特徴とするゴルフボール拭き具。
【請求項２】
請求項１に記載のゴルフボール拭き具において、
皿状本体部と蓋体およびヒンジ部は熱可塑性樹脂の一体成形によって構成されているゴルフボール拭き具。
【請求項３】
請求項１または請求項２に記載のゴルフボール拭き具において、
汚れ拭き取り体は、スポンジ、フェルト、不織布、織物のいずれかからなるゴルフボール拭き具。
【請求項４】
請求項１ないし請求項３のいずれか１項に記載のゴルフボール拭き具において、
皿状本体部には、前記上向きの大きい開口を取り囲む第１の環状係止部が突設され、蓋体の周縁部内面には、該蓋体による皿状本体部の上向きの大きい開口の施蓋時に前記第１の環状係止部に係脱可能に弾性係合して施蓋状態を保持する第２の環状係止部が備わっているゴルフボール拭き具。
【請求項５】
請求項１ないし請求項４のいずれか１項に記載のゴルフボール拭き具において、
皿状本体部に突設された第１の環状係止部の内周側に、該皿状本体部の底部に載置される汚れ拭き取り体の周縁部上面に当接して汚れ拭き取り体を皿状本体部の底部に位置決め保持する環状の押圧片を備えてなるゴルフボール拭き具。
【請求項６】
請求項１ないし請求項５のいずれか１項に記載のゴルフボール拭き具において、
蓋体の内面に、ゴルフボールに付着した硬い汚れの掻き取りが可能な掻き取り歯群を設けてなるゴルフボール拭き具。
【請求項７】
請求項１ないし請求項６のいずれか１項に記載のゴルフボール拭き具において、
皿状本体部の底部は、補強リブ部を備えた薄肉構造であるゴルフボール拭き具。
【考案の詳細な説明】
【技術分野】
【０００１】
本考案はゴルフボール拭き具に関する。
【背景技術】
【０００２】
ゴルフのプレイ中にゴルフボールに付着した泥やゴミ、草汁などの汚れを拭き取る従来のゴルフボール拭き具として、たとえば、特許文献１に記載のものが提供されている。
【０００３】
このゴルフボール拭き具は、水を含浸させた水吸収性材料を装填するケースと、ゴルフボールを半球分より小さい表面積だけ前記ケース内に突出させる穴を設けた受座とを備え、この受座がケースの開閉蓋となっているとともに、前記穴がゴルフボールの直径よりも数ミリ程度小さい直径を有した円形穴であり、かつ、前記水吸収性材料がメラミンウレタン樹脂を素材とした軟質フォームで構成されているものである。
【０００４】
前記構成のゴルフボール拭き具によれば、ケース内に装填された水吸収性材料に水を含浸させ、受座に設けられた穴にゴルフボールを押し当てて、そのゴルフボールを指先で全方位方向に回転させると、ゴルフボールに付着した泥汚れや草汁の汚れが水吸収性材料によって拭き取られると同時に、受座に設けられた穴の縁によって土の塊やゴミなどもこそぎ取られる。また、ゴルフボールは、受座に設けられた穴によりケース内に装填された水吸収性材料に対して一定以上強く押し当てることができないように規制されるので、水吸収性材料から多量の水が搾り出される不都合が抑制される。したがって、ゴルフボールに付着した汚れを確実に拭き取ることができると同時に、水吸収性材料から多量の水が搾り出されて、ゴルフボールの表面や指先がプレイに支障を来たすほど水濡れすることを確実に防止できるとされている。
【先行技術文献】
【特許文献】
【０００５】
【特許文献１】実用新案登録第３１０００５８号公報
【考案の概要】
【考案が解決しようとする課題】
【０００６】
ところが、前記特許文献１に開示されているゴルフボール拭き具は、水吸収性材料が受座の穴を通して常時外部に臨んでいるので、水の蒸発が促進されて保水度が比較的短時間で限界点未満に降下して、ゴルフボールに付着した汚れの拭き取り能力を著しく低下させる問題点を有している。また、水吸収性材料における汚れの拭き取り可能な領域が、受座の穴から目視し得る狭い範囲のみに制限されるので、その狭い範囲の損傷による汚れの拭き取り能力の低下が顕著になって、水吸収性材料の交換頻度が高くなるので信頼性に劣るばかりか、保水状態の水吸収性材料が装填されているゴルフボール拭き具を携行すると、プレイヤーの衣服を濡らすおそれがあるなどの問題点もある。
【０００７】
本考案はこのような実情に鑑みてなされたものであって、その目的とするところは、ゴルフボールに付着した汚れの拭き取り能力が短時間で低下するのを回避し、汚れ拭き取り体の汚れの拭き取り可能な領域を拡大して、汚れ拭き取り体の局部的な損傷を抑えることで、汚れ拭き取り体の交換頻度を低くすることにより信頼性を高めるとともに、保水状態の汚れ拭き取り体を装填して携行しても、プレイヤーの衣服を濡らすような不都合が生じることのないゴルフボール拭き具を提供することにある。
【課題を解決するための手段】
【０００８】
前記目的を達成するために、本考案に係るゴルフボール拭き具は、水を含浸させた汚れ拭き取り体でゴルフボールに付着した汚れを拭き取るゴルフボール拭き具であって、
上向きの大きい開口を有する皿状本体部と、前記上向きの大きい開口を開閉する蓋体とを備え、水を含浸させた汚れ拭き取り体が前記上向きの大きい開口に臨んで皿状本体部の底部に載置して装填されてなることを特徴としている。
【０００９】
前記構成のゴルフボール拭き具によれば、ゴルフボールの拭き取り操作時以外は、蓋体によって皿状本体部の上向きの大きい開口が閉塞されていることで、汚れ拭き取り体は外部から遮断された空間に閉じ込められることなるので、汚れ拭き取り体に含浸されている水の蒸発が抑制される。これにより、汚れ拭き取り体の汚れの拭き取り能力が短時間で低下するのを回避できる。
【００１０】
また、汚れ拭き取り体は、上向きの大きい開口に臨んで皿状本体部の底部に載置して装填されているので、汚れ拭き取り体の汚れの拭き取り可能な領域が拡大される。このため、汚れ拭き取り体の局部的な損傷が抑えられるので、汚れ拭き取り体の交換頻度を低くして、信頼性を高めることが可能となる。
【００１１】
さらに、皿状本体部の上向きの大きい開口を蓋体で閉塞した状態でプレイヤーが携行したり、ゴルフバッグの適所に掛け吊りして運ばれることで、保水状態の汚れ拭き取り体を装填して携行しても、プレイヤーの衣服を濡らしたり、ゴルフバッグを濡らすような不都合は生じない。
【００１２】
本考案に係るゴルフボール拭き具は、皿状本体部と蓋体およびヒンジ部が熱可塑性樹脂の一体成形によって構成されている。これによると、ゴルフボール拭き具の製造が容易になるとともに、皿状本体部の上向きの大きい開口の開閉操作が容易になって、開閉操作性の向上が期待できるとともに、蓋体の紛失を防止することが可能となる。
【００１３】
本考案に係るゴルフボール拭き具の汚れ拭き取り体は、スポンジ、フェルト、不織布、織物のいずれかからなっている。スポンジ、フェルト、不織布、織物などは、高い保水性を備えているので、ゴルフボールに付着した泥汚れや草汁の汚れを拭き取る拭き取り効果を長時間継続して発揮することが可能となる。
【００１４】
本考案に係るゴルフボール拭き具の皿状本体部には、前記上向きの大きい開口を取り囲む第１の環状係止部が突設され、蓋体の周縁部内面には、該蓋体による皿状本体部の上向きの大きい開口の施蓋時に前記第１の環状係止部に係脱可能に弾性係合して施蓋状態を保持する第２の環状係止部が備わっている。
【００１５】
このようなゴルフボール拭き具によれば、蓋体によって皿状本体部の上向きの大きい開口を閉塞して、汚れ拭き取り体を外部から遮断された空間に閉じ込めた蓋体の施蓋状態は、蓋体に備わっている第２の環状係止部が皿状本体部側の第１の環状係止部に係脱可能に弾性係合することによって保持することができる。その結果、汚れ拭き取り体に含浸されている水の蒸発抑制効果が高められて、汚れ拭き取り体の汚れの拭き取り能力が短時間で低下するのを確実に回避することが可能となる。
【００１６】
本考案に係るゴルフボール拭き具は、皿状本体部に突設された第１の環状係止部の内周側に、該皿状本体部の底部に載置される汚れ拭き取り体の周縁部上面に当接して汚れ拭き取り体を皿状本体部の底部に位置決め保持する環状の押圧片を備えている。これによると、ゴルフボール拭き具の使用に際して、皿状本体部の上向きの大きい開口に臨んで露出している汚れ拭き取り体の表面の中央部にゴルフボールを押し当てて、指先で所望方向に適宜回転させても、皿状本体部の底部に載置される汚れ拭き取り体の周縁部上面に環状の押圧片が当接して、ゴルフボールの所望方向への回転に追従する汚れ拭き取り体の移動が抑制されるので、ゴルフボールに付着した泥汚れや草汁の汚れを拭き取る拭き取り効果を高めることが可能となるばかりか、汚れ拭き取り体が皿状本体部から脱落するのを確実に防止して、ゴルフボール拭き具の使用性を高めることができる。
【００１７】
本考案に係るゴルフボール拭き具は、蓋体の内面に、ゴルフボールに付着した硬い汚れの掻き取りが可能な掻き取り歯群を設けてある。これによると、ゴルフボールに泥やゴミ、草汁などの汚れよりも硬い土の塊などの汚れが付着している場合は、ゴルフボール拭き具の使用に際して、汚れ拭き取り体の表面の中央部にゴルフボールを押し当てる前段で、まず、掻き取り歯群で土の塊などの硬い汚れを掻き取った後に、残存して付着している泥やゴミ、草汁などの汚れを汚れ拭き取り体で拭き取ることができるので、土の塊などの硬い汚れによる汚れ拭き取り体の損傷を回避し、汚れ拭き取り体の交換頻度を低くして、信頼性を高めることに寄与することが可能となる。
【００１８】
本考案に係るゴルフボール拭き具は、皿状本体部の底部が補強リブ部を備えた薄肉構造であってもよい。これによると、ゴルフボール拭き具の使用に際して、皿状本体部の上向きの大きい開口に臨んで露出している汚れ拭き取り体の表面の中央部にゴルフボールを押し当てることで、皿状本体部の底部は容易に弾性変形して下向き略半球状に窪み、その窪みに沿って汚れ拭き取り体も略半球状に窪んでゴルフボール表面との接触面積が増大することになるので、ゴルフボールに付着した泥汚れや草汁の汚れを拭き取る拭き取り効果を高めることができる。また、皿状本体部の底部は薄肉であるものの、補強リブ部の補強効果によって所定の強度を確保できる。
【考案の効果】
【００１９】
本考案に係るゴルフボール拭き具は、ゴルフボールに付着した汚れの拭き取り能力が短時間で低下するのを回避し、汚れ拭き取り体の汚れの拭き取り可能な領域を拡大して、汚れ拭き取り体の局部的な損傷を抑えることで、汚れ拭き取り体の交換頻度を低くすることにより信頼性を高めるとともに、保水状態の汚れ拭き取り体を装填して携行しても、プレイヤーの衣服を濡らすような不都合が生じることはないなどの効果を奏する。
【図面の簡単な説明】
【００２０】
【図１】本考案に係るゴルフボール拭き具の一実施形態を開蓋し、かつ、汚れ拭き取り体を省略して示す斜視図である。
【図２】図１の半截断面図である。
【図３】本考案に係るゴルフボール拭き具の一実施形態を施蓋し、かつ、掻き取り歯群を省略して示す縦断正面図である。
【図４】本考案に係るゴルフボール拭き具の一実施形態を開蓋し、かつ、掻き取り歯群を省略して示す縦断正面図である。
【図５】本考案に係るゴルフボール拭き具の一実施形態の使用状態を、掻き取り歯群を省略して示す縦断正面図である。
【図６】本考案に係るゴルフボール拭き具の他の実施形態を施蓋し、かつ、掻き取り歯群を省略して示す縦断正面図である。
【図７】本考案に係るゴルフボール拭き具の他の実施形態を開蓋し、かつ、掻き取り歯群を省略して示す縦断正面図である。
【図８】本考案に係るゴルフボール拭き具の他の実施形態の使用状態を、掻き取り歯群を省略して示す縦断正面図である。
【考案を実施するための形態】
【実施例】
【００２１】
以下、本考案の好ましい実施形態を図面に基づいて説明する。
図１は本考案に係るゴルフボール拭き具の一実施形態を開蓋し、かつ、汚れ拭き取り体を省略して示す斜視図、図２は図１の半截断面図、図３は本考案に係るゴルフボール拭き具の一実施形態を施蓋し、かつ、掻き取り歯群を省略して示す縦断正面図、図４は本考案に係るゴルフボール拭き具の一実施形態を開蓋し、かつ、掻き取り歯群を省略して示す縦断正面図、図５は本考案に係るゴルフボール拭き具の一実施形態の使用状態を、掻き取り歯群を省略して示す縦断正面図である。
図１〜図５において、ゴルフボール拭き具１は、上向きの大きい開口２を有する円形の皿状本体部３と、上向きの大きい開口２を開閉する円形の蓋体４とを備え、皿状本体部３と蓋体４はヒンジ部５を介して互いに連設されており、これらは、シリコンゴムなどのゴム系樹脂や熱可塑性の軟質樹脂の一体成形によって構成されている。このため、ゴルフボール拭き具１の製造が容易になるとともに、皿状本体部３の上向きの大きい開口２の開閉操作が容易になって、開閉操作性の向上が期待できるとともに、蓋体の紛失を防止することが可能となる。
【００２２】
一方、吸水性および保水性に優れた特性を有するスポンジ、フェルト、不織布、織物のいずれかからなる円盤状の汚れ拭き取り体６が、その上面を上向きの大きい開口２に臨ませた状態で皿状本体部３における厚肉の底部３ａに載置して装填されている。スポンジ、フェルト、不織布、織物などは、高い保水性を備えているので、ゴルフボール１１（図５参照）に付着した泥汚れや草汁の汚れ（図示省略）を拭き取る拭き取り効果を長時間継続して発揮することが可能となる。
【００２３】
皿状本体部３の周縁部上面には、上向きの大きい開口２を取り囲む第１の環状係止部７が突設され、蓋体４の周縁部内面には、該蓋体４による皿状本体部３の上向きの大きい開口２の施蓋時に第１の環状係止部７に係脱可能に弾性係合して施蓋状態を保持する第２の環状係止部８が備わっている。そして、皿状本体部３に突設された第１の環状係止部７の内周側に、皿状本体部３の底部３ａに載置される汚れ拭き取り体６の周縁部上面に当接して汚れ拭き取り体６を皿状本体部３の底部３ａに位置決め保持する環状の押圧片９を備えている。なお、図１において、皿状本体部３におけるヒンジ部５の近傍に、ゴルフボール拭き具１をプレイヤーの衣服の適所やゴルフバッグの適所に掛け吊りするためのストラップ（図示省略）の一端部を直接連結または金属製のフック（図示省略）を介して間接連結するための連結部１０を設けてある。
【００２４】
図１、図２に示すように、蓋体４の内面には、ゴルフボール１１（図５参照）に付着した硬い土の塊などの汚れ（図示省略）の掻き取りが可能な掻き取り歯群１２を設けてある。掻き取り歯群１２は、所定間隔を隔てて蓋体４の内面に突設した複数の掻き取り歯１２ａからなる。
【００２５】
前記構成のゴルフボール拭き具１は、水を含浸させた汚れ拭き取り体６を皿状本体部３の底部３ａに載置して装填し、かつ、皿状本体部３の上向きの大きい開口２を蓋体４で閉塞した図３の状態でプレイヤーが携行したり、ゴルフバッグの適所に掛け吊りして運ばれる。ゴルフのプレイ中にゴルフボール１１（図５参照）に泥やゴミ、草汁などの汚れが付着すると、図４のように蓋体４を開放して皿状本体部３の上向きの大きい開口２に臨んでいる汚れ拭き取り体６を露出させ、図５に示すように、汚れ拭き取り体６表面の中央部にゴルフボール１１を押し当てて、そのゴルフボール１１を指先で所望方向に適宜回転させると、ゴルフボール１１に付着した泥汚れや草汁の汚れが汚れ拭き取り体６によって拭き取られる。
【００２６】
汚れの拭き取りが完了したゴルフボール拭き具１は、図３のように、蓋体４で皿状本体部３の上向きの大きい開口２を閉塞した状態に戻してプレイヤーが携行したり、ゴルフバッグの適所に掛け吊りして運ばれる。
【００２７】
本考案に係るゴルフボール拭き具１によれば、ゴルフボール１１の拭き取り操作時以外は、蓋体４によって皿状本体部３の上向きの大きい開口２が閉塞されていることで、汚れ拭き取り体６は外部から遮断された空間に閉じ込められることなるので、汚れ拭き取り体６に含浸されている水の蒸発が抑制される。これにより、汚れ拭き取り体６の汚れの拭き取り能力が短時間で低下するのを回避することができる。
【００２８】
汚れ拭き取り体６は、その表面が上向きの大きい開口２に臨んで皿状本体部３の底部３ａに載置して装填されているので、汚れ拭き取り体６の汚れの拭き取り可能な領域が拡大される。このため、汚れ拭き取り体６の局部的な損傷が抑えられるから、汚れ拭き取り体６の交換頻度を低くして、ゴルフボール拭き具１の信頼性を高めることが可能となる。
【００２９】
皿状本体部３の上向きの大きい開口２を蓋体４で閉塞した状態でプレイヤーが携行したり、ゴルフバッグの適所に掛け吊りして運ばれることで、保水状態の汚れ拭き取り体６を装填して携行しても、プレイヤーの衣服を濡らしたり、ゴルフバッグを濡らすような不都合は生じない。
【００３０】
蓋体４によって皿状本体部３の上向きの大きい開口２を閉塞して、汚れ拭き取り体６を外部から遮断された空間に閉じ込めた蓋体４の施蓋状態は、蓋体４に備わっている第２の環状係止部８が皿状本体部３側の第１の環状係止部７に係脱可能に弾性係合することによって保持することができる。その結果、汚れ拭き取り体６に含浸されている水の蒸発抑制効果が高められて、汚れ拭き取り体６の汚れの拭き取り能力が短時間で低下するのを確実に回避することが可能となる。
【００３１】
皿状本体部３に突設された第１の環状係止部７の内周側に、該皿状本体部３の底部３ａに載置される汚れ拭き取り体６の周縁部上面に当接して汚れ拭き取り体６を皿状本体部３の底部３ａに位置決め保持する環状の押圧片９を備えているので、ゴルフボール拭き具１の使用に際して、皿状本体部３の上向きの大きい開口２に臨んで露出している汚れ拭き取り体６の表面の中央部にゴルフボール１１を押し当てて、指先で所望方向に適宜回転させても、皿状本体部３の底部３ａに載置される汚れ拭き取り体６の周縁部上面に環状の押圧片９が当接して、ゴルフボール１１の所望方向への回転に追従する汚れ拭き取り体６の移動が抑制されるので、ゴルフボール１１に付着した泥汚れや草汁の汚れを拭き取る拭き取り効果を高めることが可能となるばかりか、汚れ拭き取り体６が皿状本体部３から脱落するのを確実に防止して、ゴルフボール拭き具１の使用性を高めることができる。
【００３２】
ゴルフボール１１に泥やゴミ、草汁などの汚れよりも硬い土の塊などの汚れが付着している場合は、ゴルフボール拭き具１の使用に際して、汚れ拭き取り体６の表面の中央部にゴルフボール１１を押し当てる前段で、まず、掻き取り歯群１２で土の塊などの硬い汚れを掻き取った後に、残存して付着している泥やゴミ、草汁などの汚れを汚れ拭き取り体６で拭き取ることができるので、土の塊などの硬い汚れによる汚れ拭き取り体６の損傷を回避し、汚れ拭き取り体６の交換頻度を低くして、ゴルフボール拭き具１の信頼性を高めることに寄与することが可能となる。
【００３３】
図６は本考案に係るゴルフボール拭き具の他の実施形態を施蓋し、かつ、掻き取り歯群を省略して示す縦断正面図、図７は本考案に係るゴルフボール拭き具の他の実施形態を開蓋し、かつ、掻き取り歯群を省略して示す縦断正面図、図８は本考案に係るゴルフボール拭き具の他の実施形態の使用状態を、掻き取り歯群を省略して示す縦断正面図である。なお、図１〜図５の実施形態と同一部分には、同一符号が付されている。
【００３４】
図６〜図８において、本考案の他の実施形態に係るゴルフボール拭き具１は、皿状本体部３の底部３ａが補強リブ部１３を備えた薄肉構造になっている。このような構造のゴルフボール拭き具１であると、その使用に際して、図７のように皿状本体部３の上向きの大きい開口２に臨んで露出している汚れ拭き取り体６の表面の中央部に、図８のようにゴルフボール１１を押し当てることで、皿状本体部３の底部３ａは容易に弾性変形して下向き略半球状に窪み、その窪みに沿って汚れ拭き取り体６も略半球状に窪んでゴルフボール１１表面との接触面積が増大することになるので、ゴルフボール１１に付着した泥汚れや草汁の汚れを拭き取る拭き取り効果を高めることができる。また、皿状本体部３の底部３ａは薄肉であるものの、補強リブ部１３の補強効果によって所定の強度を確保できる。
【００３５】
なお、前記各実施形態のゴルフボール拭き具１は、円形の皿状本体部３と円形の蓋体４とを備えているが、皿状本体部３と蓋体４の形状は円形のみに限定されるものではなく、三角形、四角形、五角形、六角形、八角形などを含む角形であってもよい。
【産業上の利用可能性】
【００３６】
本発明は、ゴルフのプレイ中にゴルフボールに付着した泥やゴミ、草汁などの汚れを拭き取ったり、ゴルフボールに付着した泥やゴミ、草汁などの汚れよりも硬い土の塊などの汚れを掻き取るゴルフボール拭き具として有用である。
【符号の説明】
【００３７】
１  ゴルフボール拭き具
２  上向きの大きい開口
３  皿状本体部
３ａ  皿状本体部の底部
４  蓋体
５  ヒンジ部
６  汚れ拭き取り体
７  第１の環状係止部
８  第２の環状係止部
９  環状の押圧片
１１  ゴルフボール
１２  掻き取り歯群
１３  補強リブ部
【図１】
0003174013.tif 000003
【図２】
0003174013.tif 000004
【図３】
0003174013.tif 000005
【図４】
0003174013.tif 000006
【図５】
0003174013.tif 000007
【図６】
0003174013.tif 000008
【図７】
0003174013.tif 000009
【図８】
0003174013.tif 000010